(57)【要約】【課題】棚板の高さレベルの変更作業を容易なものとすること。【解決手段】ケース本体１の収納室４に立設された棚支柱７に係合部材１１を介して係合されることにより、前方に向けて延在する態様で支持されたブラケット部材１２と、ブラケット部材１２に支持され、かつ上面に商品を載置する棚板１４とを備えた商品載置棚１０が構成されたショーケースであって、係合部材１１は、ブラケット部材１２を上下方向に移動可能に支持するものである。係合部材１１は、後方に突出する態様で形成された係止片１１１が、棚支柱７の前面に上下方向に所定間隔で形成された任意の係止孔７ａに挿入されることで支持され、ブラケット部材１２に形成された係止突部１２１の進入を許容し、かつ係止突部１２１を係止させる複数の高さレベルの係止縁部１１２ａを有する異形状の支持孔１１２を備えたことが好ましい。【選択図】図２
2020010833.tif 000002
【特許請求の範囲】
【請求項１】
ケース本体の収納室に立設された棚支柱に係合部材を介して係合されることにより、前方に向けて延在する態様で支持されたブラケット部材と、
前記ブラケット部材に支持され、かつ上面に商品を載置する棚板と
を備えた商品載置棚が構成されたショーケースであって、
前記係合部材は、前記ブラケット部材を上下方向に移動可能に支持することを特徴とするショーケース。
【請求項２】
前記係合部材は、後方に突出する態様で形成された係止片が、前記棚支柱の前面に上下方向に所定間隔で形成された任意の係止孔に挿入されることで該棚支柱に支持され、
前記ブラケット部材に形成された係止突部の進入を許容し、かつ該係止突部を係止させる複数の高さレベルの係止縁部を有する異形状の支持孔を備えたことを特徴とする請求項１に記載のショーケース。
【請求項３】
前記ブラケット部材は、互いに離隔する態様で左右一対に設けられ、かつ前記係止突部が互いに近接する方向に突出する態様で形成されており、
前記係合部材は、それぞれ前記ブラケット部材の間に設けられ、かつ互いに連結されたことを特徴とする請求項２に記載のショーケース。
【発明の詳細な説明】
【技術分野】
【０００１】
本発明は、ショーケースに関し、より詳細には、例えばスーパーマーケットやコンビニエンスストア等の店舗に設置され、ケース本体の内部に商品を載置する商品載置棚を備えたショーケースの改良に関するものである。
【背景技術】
【０００２】
従来、例えばスーパーマーケットやコンビニエンスストア等の店舗では、販売商品を商品載置棚に載置させた状態でケース本体の内部に収納するようにしたショーケースが多く適用されている。
【０００３】
商品載置棚は、ブラケット部材及び棚板を備えて構成されている。ブラケット部材は、ケース本体の収納室の背面側において上下方向に所定間隔で係止孔が形成された棚支柱に対し、自身の係止片が所定の係止孔に挿入されることで該棚支柱に支持される左右一対のものである。これらブラケット部材には、スライドレールがネジ等の締結部材を介して締結されている。
【０００４】
棚板は、上面が商品を載置する載置面を構成する矩形平板状の形態を成しており、各ブラケット部材に締結されたスライドレールにネジ等の締結部材を介して締結されることで、これらスライドレール間に跨る態様で架設されている。かかる棚板は、ブラケット部材に対して前後方向にスライド可能である（例えば、特許文献１参照）。
【先行技術文献】
【特許文献】
【０００５】
【特許文献１】特開２０１１−１６７３８４号公報
【発明の概要】
【発明が解決しようとする課題】
【０００６】
ところで、上述したショーケースでは、棚板の載置面に対し、補充用商品を陳列する際、あるいは季節の変わり目等に新商品を陳列する際に、棚板の高さレベルを変更することがある。このような場合、高さレベルの変更は僅かな大きさではあるが、ブラケット部材の係止片を棚支柱の係止孔から離脱させ、別の係止孔に挿入させる必要があり、棚板は左右方向の長さが大きいことを考慮すると、作業者にとって棚板の高さレベルの変更作業は非常に煩雑なものとなっていた。
【０００７】
本発明は、上記実情に鑑みて、棚板の高さレベルの変更作業を容易なものとすることができるショーケースを提供することを目的とする。
【課題を解決するための手段】
【０００８】
上記目的を達成するため、本発明に係るショーケースは、ケース本体の収納室に立設された棚支柱に係合部材を介して係合されることにより、前方に向けて延在する態様で支持されたブラケット部材と、前記ブラケット部材に支持され、かつ上面に商品を載置する棚板とを備えた商品載置棚が構成されたショーケースであって、前記係合部材は、前記ブラケット部材を上下方向に移動可能に支持することを特徴とする。
【０００９】
また本発明は、上記ショーケースにおいて、前記係合部材は、後方に突出する態様で形成された係止片が、前記棚支柱の前面に上下方向に所定間隔で形成された任意の係止孔に挿入されることで該棚支柱に支持され、前記ブラケット部材に形成された係止突部の進入を許容し、かつ該係止突部を係止させる複数の高さレベルの係止縁部を有する異形状の支持孔を備えたことを特徴とする。
【００１０】
また本発明は、上記ショーケースにおいて、前記ブラケット部材は、互いに離隔する態様で左右一対に設けられ、かつ前記係止突部が互いに近接する方向に突出する態様で形成されており、前記係合部材は、それぞれ前記ブラケット部材の間に設けられ、かつ互いに連結されたことを特徴とする。
【発明の効果】
【００１１】
本発明によれば、商品載置棚を構成する係合部材がブラケット部材を上下方向に移動可能に支持するので、該ブラケット部材に支持される棚板を上下方向に移動させることができ、棚支柱から商品載置棚の構成要素を離脱させる必要がない。従って、棚板の高さレベルの変更作業を容易なものとすることができるという効果を奏する。
【図面の簡単な説明】
【００１２】
【図１】図１は、本発明の実施の形態であるショーケースを示す断面側面図である。
【図２】図２は、図１に示した１つの商品載置棚を示す斜視図である。
【図３】図３は、図１に示した１つの商品載置棚の一部を分解して示す分解斜視図である。
【図４】図４は、図２及び図３に示した係合部材を示す斜視図である。
【図５】図５は、図２及び図３に示した商品載置棚の要部を示す分解斜視図である。
【図６】図６は、図２に示した商品載置棚の縦断面図である。
【図７】図７は、図２に示した商品載置棚の縦断面図である。
【図８】図８は、図２に示した商品載置棚の縦断面図である。
【発明を実施するための形態】
【００１３】
以下に添付図面を参照して、本発明に係るショーケースの好適な実施の形態について詳細に説明する。
【００１４】
図１は、本発明の実施の形態であるショーケースを示す断面側面図である。ここで例示するショーケースは、例えばコンビニエンスストア等の店舗において販売商品をケース本体１の内部に収納するようにしたものである。本実施の形態では特に、要冷蔵商品を収納するための冷蔵用ショーケースを例示している。
【００１５】
すなわち、このショーケースでは、ケース本体１の内部に背面板２を設けることによって背面板２とケース本体１の後壁１ａとの間に通風ダクト３を構成するとともに、背面板２よりも前方に収納室４を構成している。通風ダクト３の内部には、蒸発器５や送風ファン６を配設している。蒸発器５は、図示していないコンデンシングユニットとともに冷凍サイクルを構成し、通過する空気との間において熱交換を行うものである。このショーケースでは、図示せぬコンデンシングユニット及び送風ファン６を駆動すれば、蒸発器５を通過した空気が通風ダクト３を通じて収納室４に循環供給され、収納室４が所望の冷蔵温度に維持されることになる。
【００１６】
ケース本体１は、前面に開口（以下、前面開口ともいう）１ｂを有した箱状を成すもので、収納室４に複数段の商品載置棚１０を備えている。収納室４の各段の商品載置棚１０は、同様の構成を有したものであるから、以下では１つの商品載置棚１０について説明を行う。
【００１７】
図２及び図３は、それぞれ図１に示した１つの商品載置棚１０を示すもので、図２は斜視図、図３は一部を分解して示す分解斜視図である。商品載置棚１０は、図２及び図３に示すように、係合部材１１、ブラケット部材１２、支持部材１３及び棚板１４を備えて構成してある。
【００１８】
係合部材１１は、背面板２の左右両側の前面に取り付けた棚支柱７から前方に突出するように配設したものである。つまり、係合部材１１は、ケース本体１の内部である収納室４に互いに離隔する態様で配設した左右一対のものである。以下においては便宜上、２つの係合部材１１において互いに近接した方向を内側と称し、互いに離反した方向を外側と称して説明する。
【００１９】
係合部材１１は、板金等から形成した平板状部材である。これら係合部材１１は、それぞれの後端部分に後方に突出する複数の係止片１１１が形成してある。これら係止片１１１は、棚支柱７の前面に設けられた係止孔７ａの任意に挿入することが可能である。係止片１１１を係止孔７ａに挿入した場合には、係合部材１１の後端部分が棚支柱７の前面に当接することになり、係合部材１１が棚支柱７の任意の高さに略水平の片持ち状態で支持されることになる。
【００２０】
これら係合部材１１は、図４にも示すように、それぞれの下端部分が左右方向に沿って延在する連結部１５により連結されて一体化されている。そして、そのような係合部材１１には、支持孔１１２が形成してある。この支持孔１１２は、複数（図示の例では３つ）の高さレベルの係止縁部１１２ａを有するとともに、これら係止縁部１１２ａ同士を連通する連通部１１２ｂを有する異形状の孔である。
【００２１】
ブラケット部材１２は、板金等から形成した左右一対のものであり、それぞれ前後方向が長手方向となる長尺状部材である。これらブラケット部材１２は、後端部の上下寸法が該後端部よりも前方側の領域の上下寸法よりも大きく形成してあり、該後端部の上方側の内面には内方に向けて突出する係止突部１２１が設けてある。係止突部１２１は、係合部材１１の支持孔１１２に外側から進入している。つまり、支持孔１１２は、係止突部１２１の進入を許容している。
【００２２】
このようなブラケット部材１２は、係合部材１１の支持孔１１２に外側から進入した係止突部１２１がいずれかの係止縁部１１２ａ（図２の例では最下段の係止縁部１１２ａ）に係止されることで該係合部材１１に係合し、ブラケット部材１２の後端部分が棚支柱７の前面に当接することになり、ブラケット部材１２が略水平の片持ち状態で支持される。
【００２３】
このブラケット部材１２の内面には、図５にも示すように、スライド機構１６の外側構成要素１６１が取り付けてある。スライド機構１６は、従来公知のものであり、外側構成要素１６１に対して該スライド機構１６を構成する内側構成要素１６２が前後方向にスライドすることを許容するものである。
【００２４】
支持部材１３は、板金等から形成したものであり、図５に示すように、側壁部１３１及び上壁部１３２を一体に成形することによって構成してある。側壁部１３１は、前後方向が長手方向となる長尺状部分である。この側壁部１３１の外面には、スライド機構１６の内側構成要素１６２が取り付けてある。これにより、支持部材１３は、ブラケット部材１２に対して前後方向に沿ってスライド移動可能である。上壁部１３２は、側壁部１３１の上端縁部より外側に向けて延在する水平延在部分である。
【００２５】
棚板１４は、上面が販売商品が載置される載置面を構成する矩形状のもので、例えば板金等から形成したものである。この棚板１４は、左右両側部、前端部及び後端部が上方に向けて屈曲してある。
【００２６】
かかる棚板１４は、両側部の下面が支持部材１３の上壁部１３２に接合してあり、これによりスライド機構１６を介して左右一対のブラケット部材１２間に前後方向に沿ってスライド可能に架設してある。
【００２７】
以上のような構成を有するショーケースにおいては、商品載置棚１０を構成するブラケット部材１２は、棚支柱７に支持された係合部材１１の支持孔１１２に進入する係止突部１２１がいずれかの係止縁部１１２ａに係止されているかによって高さレベルが定まり、これにより棚板１４の高さレベルも決められる。つまり、棚板１４の高さレベルは、係止突部１２１が係止される係止縁部１１２ａの高さレベルにより規定されている。
【００２８】
図６に示すように係止突部１２１が最下段の係止縁部１１２ａに係止された状態の商品載置棚１０は、次のようにして棚板１４の高さレベルを変更することができる。すなわち、最下段の係止縁部１１２ａに係止されている係止突部１２１を該係止縁部１１２ａから離脱させ、連通部１１２ｂを通過させた後に、図７に示すように、中段の係止縁部１１２ａに係止させることで、棚板１４の高さレベルを上方に変更させることができる。あるいは、最下段の係止縁部１１２ａに係止されている係止突部１２１を該係止縁部１１２ａから離脱させ、連通部１１２ｂを通過させた後に、図８に示すように、最上段の係止縁部１１２ａに係止させることで、棚板１４の高さレベルを更に上方に変更させることができる。このように係合部材１１は、ブラケット部材１２を上下方向に移動可能に支持している。
【００２９】
以上説明したように、本発明の実施の形態であるショーケースによれば、商品載置棚１０を構成する係合部材１１が、ブラケット部材１２を上下方向に移動可能に支持するので、該ブラケット部材１２に支持される棚板１４を上下方向に移動させることができ、棚支柱７から商品載置棚１０の構成要素を離脱させる必要がない。従って、棚板１４の高さレベルの変更作業を容易なものとすることができる。
【００３０】
上記ショーケースによれば、ブラケット部材１２の係止突部１２１が外側から係合部材１１の支持孔１１２に進入しているので、作業者は、係止突部１２１の配置個所を視認することができ、これによっても、棚板１４の高さレベルの変更作業を容易なものとすることができる。
【００３１】
上記ショーケースによれば、左右一対の係合部材１１が、互いに連結部１５により連結されているので、十分な強度を有し、係止突部１２１が支持孔１１２を移動する際に係合部材１１が変形等してしまう虞れがない。
【００３２】
以上、本発明の好適な実施の形態について説明したが、本発明はこれに限定されるものではなく、種々の変更を行うことができる。
【００３３】
上述した実施の形態では、係合部材１１に支持孔１１２が形成され、ブラケット部材１２に係止突部１２１が形成されていたが、本発明においては、係合部材に係止突部が形成され、ブラケット部材に支持孔が形成されていてもよく、係合部材がブラケット部材を上下方向に移動可能に支持すればどのような形態であっても構わない。
【符号の説明】
【００３４】
１  ケース本体
２  背面板
３  通風ダクト
４  収納室
５  蒸発器
６  送風ファン
７  棚支柱
７ａ  係止孔
１０  商品載置棚
１１  係合部材
１１１  係止片
１１２  支持孔
１１２ａ  係止縁部
１１２ｂ  連通部
１２  ブラケット部材
１２１  係止突部
１３  支持部材
１４  棚板
１５  連結部
１６  スライド機構
【図１】
2020010833.tif 000003
【図２】
2020010833.tif 000004
【図３】
2020010833.tif 000005
【図４】
2020010833.tif 000006
【図５】
2020010833.tif 000007
【図６】
2020010833.tif 000008
【図７】
2020010833.tif 000009
【図８】
2020010833.tif 000010